【手続補正書】
【提出日】令和2年1月16日(2020.1.16)
【手続補正１】
【補正対象書類名】特許請求の範囲
【補正対象項目名】全文
【補正方法】変更
【補正の内容】
【特許請求の範囲】
【請求項１】
無線通信により外部機器と通信を行う通信装置であって、
ユーザの指示に応じて、第一の通信手段を用いてネットワークを形成する形成手段と、
形成するネットワークのパラメータを、生成する度に異なるパラメータとなるよう生成する生成手段と、
形成したネットワークのパラメータを外部機器と関連づけて記憶する記憶手段と、
形成するネットワークのパラメータを前記記憶手段から読み出す読み出し手段と、
第二の通信手段を用いて、外部機器の識別情報を取得する取得手段と、
前記第二の通信手段を用いて、前記ネットワークに参加するためのパラメータを外部機器に通知する通知手段と、
を有し、
前記取得手段で取得した識別情報を元に、前記第一の通信手段を用いて接続したことがあるか否かを判断し、
接続したことがあると判断された場合は、前記読み出し手段によって読み出したパラメータを前記通知手段で通知し、
接続したことがないと判断された場合は、前記生成手段によって生成されたパラメータを前記通知手段で通知し、
通知したパラメータを基に、前記形成手段で、ネットワークを形成することを特徴とした通信装置。
【請求項２】
前記第一の通信手段は、前記第二の通信手段より通信可能な距離が長いことを特徴とする請求項１に記載の通信装置。
【請求項３】
前記第一の通信手段は、前記第二の通信手段より消費電力が大きいことを特徴とする請求項１に記載の通信装置。
【請求項４】
前記第一の通信手段はＷｉ−Ｆｉに従って通信し、
前記第二の通信手段はＢｌｕｅｔｏｏｔｈの規格に従って通信することを特徴とする請求項１乃至３のいずれか１項に記載の通信装置。
【請求項５】
前記第一の通信手段はＷｉ−Ｆｉに従って通信し、
前記ネットワークのパラメータはＳＳＩＤであることを特徴とする請求項１乃至３のいずれか１項に記載の通信装置。
【請求項６】
前記第一の通信手段は前記ネットワークのパラメータを含むビーコンの発信を開始することによって前記ネットワークの構築を開始することを特徴とする請求項１乃至５のいずれか１項に記載の通信装置。
【請求項７】
前記第一の通信手段によって前記ビーコンを発信する前に、前記生成手段は、前記ネットワークのパラメータを生成することを特徴とする請求項６に記載の通信装置。
【請求項８】
前記取得手段は、前記第二の通信手段を用いて、前記外部機器の識別情報を前記外部装置から取得することを特徴とする請求項１乃至７のいずれか１項に記載の通信装置。
【請求項９】
前記生成手段は、形成するネットワークのパラメータを、生成する度にランダムなパラメータとなるよう生成することを特徴とする請求項１乃至８のいずれか１項に記載の通信装置。
【請求項１０】
前記第一の通信手段を介して接続する相手装置に対してアドレスを割り当てる機能をさらに有し、
前記機能を起動した後に前記ネットワークに参加を要求する機器の存在を検索するよう制御することを特徴とする請求項１乃至９のいずれか１項に記載の通信装置。
【請求項１１】
無線通信により外部機器と通信を行う通信装置において、
第一の通信手段を用いてネットワークを形成する形成手段と、
形成するネットワークのパラメータを生成する生成手段と、
形成したネットワークのパラメータを外部機器と関連づけて記憶する第一の記憶手段と、
第二の通信手段を用いて、第一の通信手段へハンドオーバーする際に形成したネットワークのパラメータを記憶する第二の記憶手段と、
形成するネットワークのパラメータを前記第一の記憶手段から読み出す第一の読み出し手段と、
形成するネットワークのパラメータを前記第二の記憶手段から読み出す第二の読み出し手段と、
第二の通信手段を用いて、外部機器の識別情報を取得する取得手段と、
前記第二の通信手段を用いて、前記ネットワークに参加するためのパラメータを外部機器に通知する通知手段と
を有し、
前記第二の通信手段で初めて接続した際には、前記取得手段で取得した識別情報を元に、前記第一の通信手段を用いて接続したことがあるか否かを判断し、
接続したことがあると判断された場合は、前記第一の読み出し手段によって読み出したパラメータを前記第二の記憶手段を用いて記憶し、
接続したことがないと判断された場合は、前記生成手段によって生成されたパラメータを前記第二の記憶手段を用いて記憶し、
前記第二の記憶手段に記憶されているパラメータを前記通知手段で通知し、
通知したパラメータを基に、前記形成手段で、ネットワークを形成することを特徴とした通信装置。
【請求項１２】
前記第一の記憶手段と、前記第二の記憶手段に記憶されているパラメータが同じである場合に、
前記第一の記憶手段に記憶されているパラメータが変更されたら、前記第二の記憶手段に記憶されているパラメータも同様に変更することを特徴とする請求項１１に記載の通信装置。
【請求項１３】
第一の通信手段と、
第二の通信手段と、
ユーザ操作によって第一の通信手段を介して外部装置と接続する第一の接続手順と、前記第二の通信手段を介して前記外部装置と通信したことに応じて前記第一の通信手段を介して前記外部装置と接続する第二の接続手順とのいずれかの手順で前記外部装置と接続するよう制御する制御手段とを有し、
前記制御手段は、前記第二の通信手段を介して前記外部装置と通信したことに応じて前記外部装置から取得する情報に基づき、前記第二の接続手順で接続する相手が前記第一の接続手順で過去に接続したことがある装置であるか否かを判断し、
前記第二の接続手順で接続する外部装置が前記第一の接続手順で過去に接続したことがある装置だと判断された場合、前記制御手段は、前記外部装置と過去に接続した際に用いた通信パラメータを再度用いて、前記第一の通信手段を介して前記外部装置と接続するための処理を開始するよう制御することを特徴とする通信装置。
【請求項１４】
前記制御手段は、前記第一の接続手順で接続する際に、接続に用いた通信パラメータと、接続相手に関する情報とを対応付けて記録媒体に記録するよう制御し、
前記制御手段は、前記第二の通信手段を介して前記外部装置と通信したことに応じて前記外部装置から取得する情報と、前記記録媒体に記録された情報とに基づき、前記第二の接続手順で接続する相手が前記第一の接続手順で過去に接続したことがある装置であるか否かを判断することを特徴とする請求項１３に記載の通信装置。
【請求項１５】
無線通信により外部機器と通信を行う通信装置の制御方法であって、
ユーザの指示に応じて、第一の通信手段を用いてネットワークを形成する形成ステップと、
形成するネットワークのパラメータを、生成する度に異なるパラメータとなるよう生成する生成ステップと、
形成したネットワークのパラメータを外部機器と関連づけて記憶する記憶ステップと、
記憶した形成するネットワークのパラメータを読み出す読み出しステップと、
第二の通信手段を用いて、外部機器の識別情報を取得する取得ステップと、
前記第二の通信手段を用いて、前記ネットワークに参加するためのパラメータを外部機器に通知する通知ステップと、
を有し、
前記取得ステップで取得した識別情報を元に、前記第一の通信手段を用いて接続したことがあるか否かを判断し、
接続したことがあると判断された場合は、前記読み出しステップによって読み出したパラメータを前記通知ステップで通知し、
接続したことがないと判断された場合は、前記生成ステップによって生成されたパラメータを前記通知ステップで通知し、
通知したパラメータを基に、前記形成ステップで、ネットワークを形成することを特徴とした通信装置の制御方法。
【請求項１６】
コンピュータを、請求項１乃至６のいずれか１項に記載の通信装置の各手段として機能させるための、コンピュータが読み取り可能なプログラム。
【手続補正２】
【補正対象書類名】明細書
【補正対象項目名】０００７
【補正方法】変更
【補正の内容】
【０００７】
上記目的を達成するために、本発明の通信装置は、無線通信により外部機器と通信を行う通信装置であって、ユーザの指示に応じて、第一の通信手段を用いてネットワークを形成する形成手段と、形成するネットワークのパラメータを、生成する度に異なるパラメータとなるよう生成する生成手段と、形成したネットワークのパラメータを外部機器と関連づけて記憶する記憶手段と、形成するネットワークのパラメータを前記記憶手段から読み出す読み出し手段と、第二の通信手段を用いて、外部機器の識別情報を取得する取得手段と、前記第二の通信手段を用いて、前記ネットワークに参加するためのパラメータを外部機器に通知する通知手段と、を有し、前記取得手段で取得した識別情報を元に、前記第一の通信手段を用いて接続したことがあるか否かを判断し、接続したことがあると判断された場合は、前記読み出し手段によって読み出したパラメータを前記通知手段で通知し、接続したことがないと判断された場合は、前記生成手段によって生成されたパラメータを前記通知手段で通知し、通知したパラメータを基に、前記形成手段で、ネットワークを形成することを特徴とする。